(57)【要約】【課題】ＣＤケースやＤＶＤケースを、ケースに入れたディスクジャケット（展示シート）の写真や絵柄が動画的に変化して見えるようにした可変ディスクケースを提供する。【解決手段】ケース本体（１０）にカバー体（１２）を通して写真、絵柄等が見えるように展示した展示シート（１３）と、この展示シートを定位置に保持する展示シート保持部（１４）、及びカバー体（１２）と展示シート（１３）との間に所定の間隔（Ｓ）を隔てて凸レンズ平板（１５）とを設け、前記凸レンズ平板（１５）は凸レンズを円柱状に引き伸ばしたものを横に並べて板状に一体形成されてなることを特徴している。間隔Ｓは凸レンズの焦点距離以内の距離であること。【選択図】    図２
2004331192.tif 000002
【特許請求の範囲】
【請求項１】
ケース本体（１０）に、ディスクホルダー（１１）を嵌め、このディスクホルダーを覆うようにケース本体（１０）に透明樹脂のカバー体（１２）を開閉自在に設けたＣＤ又はＤＶＤ等のディスクケースにおいて、ケース本体（１０）にカバー体（１２）を通して写真、絵柄等が見えるように展示した展示シート（１３）と、この展示シートを定位置に保持する展示シート保持部（１４）、及びカバー体（１２）と展示シート（１３）との間に所定の間隔（Ｓ）を隔てて凸レンズ平板（１５）とを設け、前記凸レンズ平板（１５）は凸レンズを円柱状に引き伸ばしたものを横に並べて板状に一体形成されてなることを特徴とする可変ディスクケース。
【請求項２】
前記透明樹脂のカバー体（１２）は、それ自体が凸レンズ平板（１５１）として形成されてなる請求項１記載の可変ディスクケース。
【発明の詳細な説明】
【０００１】
【発明の属する技術分野】
本発明は、ＣＤケースやＤＶＤケース等のディスクケースを、見る角度を変えることによって写真や絵柄が動画のように変化して見えるようにした新しいタイプの可変ディスクケースに関する。
【０００２】
【従来の技術】
ＣＤケースやＤＶＤケース等のディスクケースで従来のものは図１に示す通りのものが一般的である。図１（ａ）はこの従来のディスクケース全体の斜視図であり、図１（ｂ）はカバー体を開けた状態を示している。同図に示すように、ケース本体１０とカバー体１２は透明樹脂の成形体でつくられ、夫々の基端部を凹凸嵌合に枢着してこの枢支部１６を支点に開閉できるようになっている。ディスクホルダー１１はケース本体１０に嵌められ、表面の中央部に設けられた割型突起からなるディスク係止体１１ａにＣＤ等のディスク（図示なし）を係止することで定位置に保持するものである。
【０００３】
カバー体１２の内面にはディスクジャケット（展示シート、図示なし）を密着保持するための係止片１２ａが左右４ヶ所に設けられている。ディスクジャケットは表面に写真や絵柄等が印刷されているので、カバー体１２の表面からジャケットの写真、絵柄を透視して見ることができる。ケース本体１０の内面にもディスクホルダー１１と間に挟むように写真や絵柄を印刷したシート（図示なし）を嵌め裏側から透視できるようになっている。
【０００４】
このような写真や絵柄は単に透明樹脂のカバー体又はケース本体の内面に密着し表面又は裏面から見ると視線を変えても変化はなく、常に一定のままである。
【０００５】
ところで、視線を変えて見ると動画のように変化する動画技術も一般に知られている。このような動画技術は、透明板からなるプリント板に裏側に絵柄を動画的に側方へずらせて印刷し、表側に所定ピッチでブラインド線（ストライプ）を印刷したもので、このようなプリント板を傾けるか、視線を変えることにより絵柄が変化するように見えるものである（例えば特許文献１、特許文献２参照）。
【特許文献１】特開平９−１９７９９６号公報
【特許文献２】実開平３−１４６９２号公報
【０００６】
【発明が解決しようとする課題】
しかし、従来の動画プリントにおいては、一枚のプリント板（透明板）に表裏別々に特殊なものを加工しなければならず、ＣＤ又はＤＶＤケース等に用いるジャケットの写真や絵柄をそのままディスクケースとして動画に利用することはできなかった。
【０００７】
本発明は、上記に鑑みてなされたものであり、その目的とするところは、従来のＣＤ又はＤＶＤ等のディスクケースを利用して簡単にジャケットの写真や絵柄が動画的に変化して見えるようにするとともに、特殊な加工を一切しないで、通常のジャケットに印刷された写真や絵柄をそのまま使用することを可能にした可変ディスクケースを提供することにある。
【０００８】
【課題を解決するための手段】
上記課題を解決するために、本発明に係るディスクケースは、ケース本体１０に、ディスクホルダー１１を嵌め、このディスクホルダーを覆うようにケース本体１０に透明樹脂のカバー体１２を開閉自在に設けたＣＤ又はＤＶＤ等のディスクケースにおいて、ケース本体１０にカバー体１２を通して写真、絵柄等が見えるように展示した展示シート１３と、この展示シートを定位置に保持する展示シート保持部１４、及びカバー体１２と展示シート１３との間に所定の間隔Ｓを隔てて凸レンズ平板１５とを設け、前記凸レンズ平板１５は凸レンズを円柱状に引き伸ばしたものを横に並べて板状に一体形成されてなることを特徴とする。
【０００９】
上記の構成とすることにより、従来の市販品に用いられているディスクケースと同様にディスクジャケットに印刷されている通常の写真や絵柄をそのまま使用して視線を左右側方へ変える毎に凸レンズ平板をとおして動画のように変化させることができる。
【００１０】
上記ディスクケースは、カバー体がそれ自体凸レンズ平板として形成されることが好ましい。
【００１１】
斯る構成とすることにより、ディスクケースを簡単な構成で、コストの面でも有利となる可変ディスクケースを提供することができる。
【００１２】
【発明の実施の形態】
以下、本発明の実施例を添付の図面に基づいて説明する。
【００１３】
はじめに、凸レンズの性質及び本発明の動作原理について図６乃至図８を参照して説明する。
【００１４】
図８（ａ）に示すように、凸レンズはその性質上凸レンズの焦点（ｆ）の後方に物体（ｋ）を置いたとき、そのレンズの反対側の焦点（ｆ′）の後方に倒立実像（ｋ′）を結ぶ。しかし、物体（ｋ）を焦点（ｆ）より内側に置いたときは、図８（ｂ）に示すようにレンズの反対側に実物より大きな正立虚像（Ｋ）が見える。
【００１５】
この凸レンズを、円柱状に引き伸ばすことで、丸いレンズの片方の機能を制限し、さらに平行に少し重ねて一体化させ、この柱状のレンズを平行に多数並べて図６に示すような板状の凸レンズ群（凸レンズ平板１５）をつくる。これを図７のように視線に対してレンズ機能を生かせるように縦方向に立て、この凸レンズ平板１５の１つ１つの焦点より内側に正立虚像を得るように間隔（Ｓ）を隔てて写真、絵柄等の物体（展示シート１３）を配置し、視点（Ｒ２、Ｌ２）をレンズに対して横方向（Ｒ１、Ｌ１）へ移動してみると、図７に示すように１つ１つのレンズの中心点がテコの支点の如く物体とレンズと視点の各距離に比例して前記の正立虚像が動いて見える。その動きは、視線の動く方向とは反対の方向に物体が動いたように見え、その動く速度はレンズと物体の距離が短かいので視線の移動距離に対して物体の移動距離は短く、その分速く動いたように感じる。
【００１６】
この一連の現像は、日常生活で写真等を見る際に経験しないことなので、恰も写真の方が動いた感覚をもつ。
【００１７】
また、１つ１つのレンズは小さい（例えば０．３ミリメートル）ので、拡大率はさほど大きなものではなく、このことが、物体が視点に実際より少し近づいたように見え、それは恰も物体が少し浮いたような錯覚を見る側に与える。
【００１８】
次に、視点を固定し、レンズと物体を一体化して同時に与え、左右の端を横方向（左右）に揺らすことによって、前記と同様の結果が得られる。
【００１９】
さらに、肉眼（視点）は約６５ミリメートルの間隔で左右に２つあり、板状凸レンズ群の各凸レンズの彎曲表面の左右の曲面を２つの視線が夫々の方向からのみ見ていることになり、同じ物体の少しずれた部分を、左右の目が同時に見ることで擬以的立体感が生まれる。
【００２０】
本発明に係る可変ディスクケースは上記した凸レンズの原理を利用してディスクケースに用いられるジャケット（展示シート）の写真や絵柄等を、動きや擬似的立体感のあるインパクトの強いものにすることを可能にしたものである。
【００２１】
図２乃至図５は、本発明に係る可変ディスクケースの具体例である。図２はカバー体の内面に凸レンズ平板を組込んで形成したディスクケースであり、図２（ａ）は全体の斜視図、同（ｂ）はＡ−Ａ線の断面図である。図３カバー体自体を凸レンズ平板で構成した場合を示し、図３（ａ）は全体斜視図、図４（ｂ）はＢ−Ｂ線の断面図である。図４はカバー体の窓孔に凸レンズ平板が露出するように形成した場合であり、図４（ａ）はその全体斜視図、同（ｂ）はＣ−Ｃ線の断面図てある。図５はカバー体の窓孔に凸レンズ平板を嵌めた場合であり、図５（ａ）はその全体斜視図、同（ｂ）はＤ−Ｄ線の断面図である。
【００２２】
図２に示すディスクケースは、ケース本体１０にカバー体１２を枢支部１６を支点に開閉可能に設けたもので、透明樹脂のカバー体１２の内面に凸レンズ平板１５が密着して保持されるように組込むため、カバー体内部に係止片１２ｂを設けている。ディスクジャケット（展示シート１３）はこの凸レンズ平板１５の裏側に間隔Ｓを隔てて重合するように保持部１４により定位置に保持される。ディスクホルダー１１はケース本体１０に嵌め込まれ、中央部のディスク係止体１１ａにＣＤ等のディスク（図示なし）が係合保持される。ディスクジャケット（展示シート１３）の表面の写真、絵柄は凸レンズ平板１５と透明樹脂のカバー体１２を透視してカバー体表面から見えるようになる。
【００２３】
図３に示すディスクケースは、カバー体１２自体が凸レンズ平板１５１で形成されている。ディスクジャケット（展示シート１３）はそのカバー体１２の内面にスペーサー１２ｃにより間隔Ｓを隔てて重合するように保持部１４で定位置に保持されている。ディスクジャケット（展示シート１３）の表面の写真、絵柄は、凸レンズ平板１５１の機能をもつ透明樹脂のカバー体１２を透視してカバー体表面から見えるようになる。
【００２４】
図４に示すディスクケースは、カバー体１２に枠一杯の窓孔１２１を設け、この窓孔に凸レンズ平板１５を、その表面の一部が露出するように内面側に係止片１２ｂで保持され、さらに間隔Ｓを隔ててディスクジャケット（展示シート１３）を保持部１４にて定位置に保持させている。ディスクジャケットの写真、絵柄は凸レンズ平板１５及び窓孔１２ｂを通してカバー体１２の表面から見えるものである。
【００２５】
図５のディスクケースは、カバー体１２の窓孔１２２に同形の凸レンズ平板１５２を嵌め込んで一体化したものである。ディスクジャケット（展示シート１３）はカバー体１２の内面にスペーサー１２ｃにより間隔Ｓを隔ててカバー体に重合するよう保持部１４で定位置に保持されている。ディスクジャケット（展示シート１３）の表面の写真、絵柄はカバー体の窓孔１２２に嵌めた凸レンズ平板１５２を透視してカバー体１２の表面から見えるようになる。ケース本体１０と枢支部１６を支点に開閉するカバー体１２及びディスクホルダー１１等の構成は前記図２乃至図４と変わらない。
【００２６】
前記各ケースにおける凸レンズ平板１５と展示シート１３との間隔Ｓは、何れの場合も少なくとも凸レンズの焦点距離以内の距離であることが必要となる。この間隔Ｓの存在によって展示シート１３の表面に印刷された写真、絵柄は目線を変えてこれを見ることによって動画的に変化して見えるようになる。
【００２７】
本発明に係る可変ディスクケースは、凸レンズ平板のサイズや厚み、凸レンズ間のピッチ及び凸レンズ平板と展示シートとの間隔Ｓを大小様々に変更することによって、動きや見え方が目的に応じて変えられる。
【００２８】
【発明の効果】
本発明に係る可変ディスクケースは上記の構成とすることによって、ＣＤ又はＤＶＤ等をディスクジャケット（展示シート）とともにケースに入れて展示すればディスクジャケットに印刷された写真、絵柄等が凸レンズ平板を通して動画的に可変して見えるようになるとともに、動きや擬似的立体感のあるインパクトの強いＣＤケース又はＤＶＤケースを簡単安価に提供することができる。
【図面の簡単な説明】
【図１】従来のＣＤケースを示し（ａ）は全体斜視図、（ｂ）はカバー体を開けた状態の斜視図である。
【図２】本発明に係る可変ディスクケースの実施例を示し、（ａ）はその全体斜視図、（ｂ）は図２（ａ）におけるＡ−Ａ線の断面図である。
【図３】本発明の第２実施例を示し、（ａ）は全体斜視図、（ｂ）は図３（ａ）におけるＢーＢ線の断面図である。
【図４】本発明の第３実施例を示し、（ａ）は全体斜視図、（ｂ）は図４（ａ）におけるＣーＣ線の断面図である。
【図５】本発明の第４実施例を示し、（ａ）は全体斜視図、（ｂ）は図５（ａ）におけるＤーＤ線の断面図である。
【図６】凸レンズ平板の一部を拡大した斜視図である。
【図７】本発明の動作原理の説明図である。
【図８】凸レンズの説明図で、（ａ）は焦点の外側に物体を置いた場合、（ｂ）は焦点の内側に物体を置いた場合を示している。
【符号の説明】
１０    ケース本体
１１    ディスクホルダー
１２    カバー体
１３    展示シート（ディスクジャケット）
１４    保持部
１５、１５１、１５２    凸レンズ平板
１２１、１２２    窓孔
Ｓ      間隔（空間）
【図１】
2004331192.tif 000003
【図２】
2004331192.tif 000004
【図３】
2004331192.tif 000005
【図４】
2004331192.tif 000006
【図５】
2004331192.tif 000007
【図６】
2004331192.tif 000008
【図７】
2004331192.tif 000009
【図８】
2004331192.tif 000010